(57)【要約】【課題】パターンオーダーと比較して、縦方向の調整のみならず、胴回り等の横方向の調整が可能で、より顧客の満足度を得ることができ、且つ、フルオーダー及びイージーオーダーと比較してスタイル及びファッション性を重視したスーツを製造することが可能な、スーツの製造方法を提供する。【解決手段】第２ステップで採寸した顧客の肩幅に基づき、第１ステップで準備した複数の上着サンプルのなかから顧客の肩幅に最もフィットし得る上着サンプルを選択する第４ステップと、第２ステップで採寸した少なくとも顧客の中胴に基づき、第５ステップで特定した顧客の肩幅に最もフィットする上着サンプルの製造に用いた型紙を調整することで、上着の型紙を作成する第６ステップと、第６ステップで作成した上着の型紙を用いて中仮縫い上着を作成する第７ステップと、を備えることを特徴とする。【選択図】図５
2020094289.tif 000002
【特許請求の範囲】
【請求項１】
肩幅が互いに異なる複数の上着サンプルを準備する第１ステップと、
顧客の肩幅を採寸する第２ステップと、
少なくとも前記顧客の中胴を採寸する第３ステップと、
少なくとも前記第１及び前記第２ステップを行ったあとで、前記第２ステップで採寸した前記顧客の肩幅に基づき、前記第１ステップで準備した複数の上着サンプルのなかから前記顧客の肩幅に最もフィットし得る上着サンプルを選択する第４ステップと、
前記第４ステップで選択した前記顧客の肩幅に最もフィットし得る上着サンプルを前記顧客に試着させることで、前記第１ステップで準備した複数の上着サンプルのなかから前記顧客の肩幅に最もフィットする上着サンプルを特定する第５ステップと、
前記第２ステップで採寸した前記少なくとも顧客の中胴に基づき、前記第５ステップで特定した前記顧客の肩幅に最もフィットする上着サンプルの製造に用いた型紙を調整することで、上着の型紙を作成する第６ステップと、
前記第６ステップで作成した上着の型紙を用いて中仮縫い上着を作成する第７ステップと、
前記第７ステップで作成した中仮縫い上着を前記顧客に試着させる第８ステップと、
前記第８ステップを行ったあとで、前記第７ステップで作成した中仮縫い上着を本縫いして上着を製造する第９ステップと、
を備えることを特徴とする、スーツの製造方法。
【請求項２】
前記第２及び前記第３ステップは、前記第１ステップのあとで行われる、請求項１に記載のスーツの製造方法。
【請求項３】
前記第４ステップは、前記第３ステップのあとで行われる、請求項１又は２に記載のスーツの製造方法。
【請求項４】
前記第１ステップで準備する複数の上着サンプルは、それぞれ、上着の既製品である、請求項１乃至３のいずれかに記載のスーツの製造方法。
【請求項５】
前記第１ステップで準備する複数の上着サンプルの肩幅は、それぞれ、２２ｃｍ以上２５ｃｍ以下である、請求項１乃至４のいずれかに記載のスーツの製造方法。
【請求項６】
前記第７ステップで作成される中仮縫い上着は、前身頃に対して、下衿、ポケット及び裏地が本縫いされる、請求項１乃至５のいずれかに記載のスーツの製造方法。
【請求項７】
前記第７ステップで作成される中仮縫い上着は、上衿、前身頃及び背面身頃の上端部分である肩ライン、袖、アームホール、及び背中のセンターラインが仮縫いされる、請求項１乃至６のいずれかに記載のスーツの製造方法。
【請求項８】
ウェストが互いに異なる複数のパンツサンプルを準備する第１０ステップと、
顧客のウェストを採寸する第１１ステップと、
少なくとも前記第１０及び前記第１１ステップを行ったあとで、前記第１１ステップで採寸した前記顧客のウェストに基づき、前記第１０ステップで準備した複数のパンツサンプルのなかから前記顧客のウェストに最もフィットし得るパンツサンプルを選択する第１２ステップと、
前記第１２ステップで選択した前記顧客のウェストに最もフィットし得るパンツサンプルを前記顧客に試着させることで、前記第１０ステップで準備した複数のパンツサンプルのなかから前記顧客のウェストに最もフィットするパンツサンプルを特定する第１３ステップと、
前記第１１ステップで採寸した前記顧客のウェストに基づき、前記第１３ステップで特定した前記顧客のウェストに最もフィットするパンツサンプルの製造に用いた型紙を調整することで、パンツの型紙を作成する第１４ステップと、
前記第１４ステップで作成したパンツの型紙を用いて中仮縫いパンツを作成する第１５ステップと、
前記第１５ステップで作成した中仮縫いパンツを前記顧客に試着させる第１６ステップと、
前記第１６ステップを行ったあとで、前記第１５ステップで作成した中仮縫いパンツを本縫いしてパンツを製造する第１７ステップと、
をさらに備える、請求項１乃至７のいずれかに記載のスーツの製造方法。
【請求項９】
前記第１５ステップで作成される中仮縫いパンツは、両脇部分、ベルトが宛がわれる帯、及び前記ベルトが挿通されるループが本縫いされる、請求項８に記載のスーツの製造方法。
【請求項１０】
前記第１５ステップで作成される中仮縫いパンツは、内股部分、ベルトが宛がわれる帯の下端からヒップを経て前立ての下端までのセンターライン、及び前記前立てのチャック部分が仮縫いされる、請求項８又は９に記載のスーツの製造方法。
【発明の詳細な説明】
【技術分野】
【０００１】
本発明は、スーツの製造方法に関する。
【背景技術】
【０００２】
従来から、スーツとして、例えば、特許文献１で提案されているような紳士用スーツが知られている。
【０００３】
特許文献１の紳士用スーツは、紳士用ジャケットを含む。当該紳士用ジャケットは、機械による洗濯及び乾燥が可能であり、第１表地からなる複数の衣服部分を含む。第１表地は、折り目記憶を有する、折り目記憶は、第１表地の材料に少なくとも５０％のポリエステルを含めることで実現する。衣服部分同士は、機械により洗濯及び乾燥が可能な市販の糸を用いて縫い合わせる。
【先行技術文献】
【特許文献】
【０００４】
【特許文献１】特表２００８−５２８８１６号公報
【発明の概要】
【発明が解決しようとする課題】
【０００５】
ところで、特許文献１及びその他の従来からあるスーツでは、一般に、パターンオーダーと称されるオーダーメイドの製造方法が知られている。パターンオーダーでは、一般に、寸法が互いに異なる複数の既製品サンプル（一般に「ゲージ服」と称される）を顧客に試着させることで、前記複数の既製品サンプルのなかから顧客に最もフィットするサンプルを特定する。そして、前記顧客に最もフィットするサンプルの製造に用いた型紙を基準としつつ、例えば、上着の袖丈及び着丈、並びにパンツ丈等を縦方向のみ調整することで、オーダーメイドのスーツを製造する。
【０００６】
パターンオーダーは、一般に、他のオーダーメイドによる製造方法（例えば、フルオーダー及びイージーオーダー等）と比較して、短時間で安価にスーツを製造することが可能である。しかし、パターンオーダーは、一般に、他のオーダーメイドによる製造方法と比較して、顧客の満足度を十分に得られない場合があった。
【０００７】
そこで、本発明は、パターンオーダーと比較して、縦方向の調整のみならず、胴回り等の横方向の調整が可能で、より顧客の満足度を得ることができ、且つ、フルオーダー及びイージーオーダーと比較してスタイル及びファッション性を重視したスーツを製造することが可能な、スーツの製造方法を提供することを目的とする。
【課題を解決するための手段】
【０００８】
前記課題を解決するために、本発明に係るスーツの製造方法は、肩幅が互いに異なる複数の上着サンプルを準備する第１ステップと、顧客の肩幅を採寸する第２ステップと、少なくとも前記顧客の中胴を採寸する第３ステップと、少なくとも前記第１及び前記第２ステップを行ったあとで、前記第２ステップで採寸した前記顧客の肩幅に基づき、前記第１ステップで準備した複数の上着サンプルのなかから前記顧客の肩幅に最もフィットし得る上着サンプルを選択する第４ステップと、前記第４ステップで選択した前記顧客の肩幅に最もフィットし得る上着サンプルを前記顧客に試着させることで、前記第１ステップで準備した複数の上着サンプルのなかから前記顧客の肩幅に最もフィットする上着サンプルを特定する第５ステップと、前記第２ステップで採寸した前記少なくとも顧客の中胴に基づき、前記第５ステップで特定した前記顧客の肩幅に最もフィットする上着サンプルの製造に用いた型紙を調整することで、上着の型紙を作成する第６ステップと、前記第６ステップで作成した上着の型紙を用いて中仮縫い上着を作成する第７ステップと、前記第７ステップで作成した中仮縫い上着を前記顧客に試着させる第８ステップと、前記第８ステップを行ったあとで、前記第７ステップで作成した中仮縫い上着を本縫いして上着を製造する第９ステップと、を備えることを特徴とする。
【０００９】
上記構成によれば、顧客の肩幅に最もフィットする上着サンプルの製造に用いた型紙を調整することで上着の型紙を作成するので、フルオーダー及びイージーオーダーと比較してスタイル及びファッション性を重視した上着を製造することができる。また、前記上着の型紙を用いて作成した中仮縫い上着を顧客に試着させるので、パターンオーダーと比較してより顧客の満足度を得ることができる。
【００１０】
前記第２及び前記第３ステップは、前記第１ステップのあとで行われてもよい。
【００１１】
上記構成によれば、効率良く製造作業を行うことが可能となる。
【００１２】
前記第４ステップは、前記第３ステップのあとで行われてもよい。
【００１３】
上記構成によれば、効率良く製造作業を行うことが可能となる。
【００１４】
前記第１ステップで準備する複数の上着サンプルは、それぞれ、上着の既製品であってもよい。
【００１５】
上記構成によれば、顧客が具体的な完成品のイメージを持つことができ、前記具体的な完成品のイメージを顧客から確認したうえで上着の型紙を作成することができる。したがって、顧客の満足度を向上させることが可能となる。
【００１６】
前記第１ステップで準備する複数の上着サンプルの肩幅は、それぞれ、２２ｃｍ以上２５ｃｍ以下であってもよい。
【００１７】
上記構成によれば、成人男性の肩幅にフィットし得る上着サンプルを無駄なく準備することができるので、効率良く製造作業を行うことが可能となる。
【００１８】
前記第７ステップで作成される中仮縫い上着は、前身頃に対して、下衿、ポケット及び裏地が本縫いされてもよい。
【００１９】
上記構成によれば、中仮縫い上着を顧客に試着させたとき、当該顧客がいっそう具体的な完成品のイメージを持つことができる。したがって、顧客の満足度を向上させることが可能となる。
【００２０】
例えば、前記第７ステップで作成される中仮縫い上着は、上衿、前身頃及び背面身頃の上端部分である肩ライン、袖、アームホール、及び背中のセンターラインが仮縫いされてもよい。
【００２１】
ウェストが互いに異なる複数のパンツサンプルを準備する第１０ステップと、顧客のウェストを採寸する第１１ステップと、少なくとも前記第１０及び前記第１１ステップを行ったあとで、前記第１１ステップで採寸した前記顧客のウェストに基づき、前記第１０ステップで準備した複数のパンツサンプルのなかから前記顧客のウェストに最もフィットし得るパンツサンプルを選択する第１２ステップと、前記第１２ステップで選択した前記顧客のウェストに最もフィットし得るパンツサンプルを前記顧客に試着させることで、前記第１０ステップで準備した複数のパンツサンプルのなかから前記顧客のウェストに最もフィットするパンツサンプルを特定する第１３ステップと、前記第１１ステップで採寸した前記顧客のウェストに基づき、前記第１３ステップで特定した前記顧客のウェストに最もフィットするパンツサンプルの製造に用いた型紙を調整することで、パンツの型紙を作成する第１４ステップと、前記第１４ステップで作成したパンツの型紙を用いて中仮縫いパンツを作成する第１５ステップと、前記第１５ステップで作成した中仮縫いパンツを前記顧客に試着させる第１６ステップと、前記第１６ステップを行ったあとで、前記第１５ステップで作成した中仮縫いパンツを本縫いしてパンツを製造する第１７ステップと、をさらに備えてもよい。
【００２２】
上記構成によれば、顧客のウェストに最もフィットするパンツサンプルの製造に用いた型紙を調整することでパンツの型紙を作成するので、フルオーダー及びイージーオーダーと比較してスタイル及びファッション性を重視したパンツを製造することができる。また、前記パンツの型紙を用いて作成した中仮縫いパンツを顧客に試着させるので、パターンオーダーと比較してより顧客の満足度を得ることができる。
【００２３】
前記第１５ステップで作成される中仮縫いパンツは、両脇部分、ベルトが宛がわれる帯、及び前記ベルトが挿通されるループが本縫いされてもよい。
【００２４】
上記構成によれば、中仮縫いパンツを顧客に試着させたとき、当該顧客がいっそう具体的な完成品のイメージを持つことができる。したがって、顧客の満足度を向上させることが可能となる。
【００２５】
例えば、前記第１５ステップで作成される中仮縫いパンツは、内股部分、ベルトが宛がわれる帯の下端からヒップを経て前立ての下端までのセンターライン、及び前記前立てのチャック部分が仮縫いされてもよい。
【発明の効果】
【００２６】
本発明によれば、パターンオーダーと比較して、縦方向の調整のみならず、胴回り等の横方向の調整が可能で、より顧客の満足度を得ることができ、且つ、フルオーダー及びイージーオーダーと比較してスタイル及びファッション性を重視したスーツを製造することが可能な、スーツの製造方法を提供することができる。
【図面の簡単な説明】
【００２７】
【図１】本発明の一実施形態に係るスーツの製造方法により製造されたスーツを示す正面図である。
【図２】本発明の一実施形態に係るスーツの製造方法の第７ステップで製造される中仮縫い上着を示す図であり、（Ａ）が正面図、（Ｂ）が背面図である。
【図３】本発明の一実施形態に係るスーツの製造方法の第１４ステップで作成される中仮縫いパンツを示す図であり、（Ａ）が正面図、（Ｂ）が（Ａ）の部分的な拡大図である。
【図４】本発明の一実施形態に係るスーツの製造方法の第１４ステップで作成製される中仮縫いパンツを示す図であり、（Ａ）が背面図、（Ｂ）が（Ａ）の部分的な拡大図である。
【図５】本発明の一実施形態に係るスーツの上着の製造方法を示すフローチャートである。
【図６】本発明の一実施形態に係るスーツのパンツの製造方法を示すフローチャートである。
【発明を実施するための形態】
【００２８】
（紳士用スーツ１０の製造方法）
以下、本発明の一実施形態に係るスーツの製造方法について図面を参照して説明する。なお、本実施形態によって本発明が限定されるものではない。また、以下では、全ての図を通じて、同一又は相当する要素には同一の参照符号を付して、その重複する説明を省略する。
【００２９】
図１は、本実施形態に係るスーツの製造方法により製造されたスーツを示す正面図である。図１に示すように、本実施形態に係るスーツの製造方法では、紳士用スーツ１０を製造する。紳士用スーツ１０は、上着１２及びパンツ１４を備える。
【００３０】
（上着１２の製造方法）
はじめに、図２及び図５等に基づき、本実施形態における上着１２の製造方法について説明する。図２は、本実施形態に係るスーツの製造方法の第７ステップで製造される中仮縫い上着を示す図であり、（Ａ）が正面図、（Ｂ）が背面図である。図５は、同スーツの上着の製造方法を示すフローチャートである。
【００３１】
まず、肩幅が互いに異なる複数の上着サンプルを準備する（図５のステップＳ１：第１ステップ）。当該上着サンプル（「スタイリング・イメージ」と呼ぶ）は、上着の既製品であってもよい。また、このとき準備する複数の上着サンプルの肩幅は、それぞれ、２２ｃｍ以上２５ｃｍ以下であってもよい。
【００３２】
次に、顧客の肩幅を採寸する（図５のステップＳ２：第２ステップ）。
【００３３】
さらに、少なくとも顧客の中胴（すなわち、腹回り＝お腹の最も出っ張ったところ）を採寸する（図５のステップＳ３：第３ステップ）。このとき、例えば、顧客の着丈、袖丈、袖幅、袖口幅及び上胴（胸回り）等をさらに採寸してもよい。また、例えば、顧客の裾丈（パンツ丈）、下胴（ヒップ）、ウェスト幅（腰回り）、股上、股下及びわたり幅等をさらに採寸してもよい。
【００３４】
そして、ステップＳ１〜Ｓ３を行ったあとで、ステップＳ２で採寸した顧客の肩幅に基づき、ステップＳ１で準備した複数の上着サンプルのなかから顧客の肩幅に最もフィットし得る上着サンプルを選択する（図５のステップＳ４：第４ステップ）。このとき、ステップＳ２で採寸した顧客の肩幅だけでなく、顧客の肩幅に関する好み等に基づき、顧客の肩幅に最もフィットし得る上着サンプルを選択してもよい。
【００３５】
次に、ステップＳ４で選択した顧客の肩幅に最もフィットし得る上着サンプルを顧客に試着させることで、ステップＳ１で準備した複数の上着サンプルのなかから顧客の肩幅に最もフィットする上着サンプルを特定する（図５のステップＳ５：第５ステップ）。
【００３６】
さらに、ステップＳ２で採寸した少なくとも顧客の中胴に基づき、ステップＳ５で特定した顧客の肩幅に最もフィットする上着サンプルの製造に用いた型紙を調整することで、上着の型紙を作成する（図５のステップＳ６：第６ステップ）。このとき、例えば、ステップＳ２で顧客の着丈、袖丈、袖幅、袖口幅及び上胴（胸回り）等をさらに採寸していた場合、これらにも基づき、ステップＳ５で特定した顧客の肩幅に最もフィットする上着サンプルの製造に用いた型紙を調整してもよい。
【００３７】
そして、ステップＳ６で作成した上着の型紙を用いて中仮縫い上着２０を作成する（図５のステップＳ７：第７ステップ）。
【００３８】
図２に示すように、本実施形態のステップＳ７で作成される中仮縫い上着２０は、前身頃３０に対して、下衿３２、ポケット３６及び裏地（図示せず）が本縫いされる。また、中仮縫い上着２０は、上衿３４、前身頃３０及び背面身頃４０の上端部分である肩ライン５０、袖５１ａ、５１ｂ、アームホール５２ａ、５２ｂ及び背中のセンターライン５４が仮縫いされる。なお、袖５１ａ、５１ｂは、それぞれ、各々の背面側で基端から先端まで（すなわち、アームホール５２ａ、５２ｂから袖口まで）延びるラインに沿って仮縫いされる。
【００３９】
なお、ここでいう中仮縫いとは、しつけ糸を用いて各パーツを手縫いで粗く縫い合わせることをいう。当該中仮縫いは、フルオーダーで行われる仮縫いと比較して、しつけ糸のテンションが高くてもよい。
【００４０】
次に、ステップＳ７で作成した中仮縫い上着２０を顧客に試着させる（図５のステップＳ８：第８ステップ）。このとき、顧客から各部位のフィット具合や着心地などをヒアリングしてもよい。
【００４１】
さらに、ステップＳ８を行ったあとで、ステップＳ７で作成した中仮縫い上着２０を本縫いして上着１２（図１参照）を製造する（図５のステップＳ９：第９ステップ）。このとき、例えば、ステップＳ８で顧客から各部位のフィット具合や着心地などをヒアリングしていた場合、そのヒアリングの内容などに基づき、各パーツの寸法などを調整して上着１２を製造してもよい。
【００４２】
（パンツ１４の製造方法）
次に、図３、図４、及び図６等に基づき、本実施形態におけるパンツ１４の製造方法について説明する。図３は、本実施形態に係るスーツの製造方法の第１４ステップで作成される中仮縫いパンツを示す図であり、（Ａ）が正面図、（Ｂ）が（Ａ）の部分的な拡大図である。また、図４は、同スーツの製造方法の第１４ステップで作成製される中仮縫いパンツを示す図であり、（Ａ）が背面図、（Ｂ）が（Ａ）の部分的な拡大図である。図６は、同スーツのパンツの製造方法を示すフローチャートである。
【００４３】
まず、ウェストが互いに異なる複数のパンツサンプルを準備する（図６のステップＳ１０：第１０ステップ）。当該パンツサンプルは、パンツの既製品であってもよい。
【００４４】
次に、顧客のウェストを採寸する（図６のステップＳ１１：第１１ステップ）。
【００４５】
さらに、少なくともステップＳ１０、及びステップＳ１１を行ったあとで、ステップＳ１１で採寸した顧客のウェストに基づき、ステップＳ１０で準備した複数のパンツサンプルのなかから顧客のウェストに最もフィットし得るパンツサンプルを選択する（図６のステップＳ１２：第１２ステップ）。
【００４６】
このとき、例えば、ステップＳ３で顧客の裾丈（パンツ丈）、下胴（ヒップ）、股上、股下及びわたり幅等をさらに採寸していた場合、これらにも基づき、顧客のウェストに最もフィットし得るパンツサンプルを選択してもよい。さらに、ステップＳ１１で採寸した顧客のウェストだけでなく、顧客のウェストに関する好み等に基づき、顧客のウェストに最もフィットし得るパンツサンプルを選択してもよい。
【００４７】
そして、ステップＳ１２で選択した顧客のウェストに最もフィットし得るパンツサンプルを顧客に試着させることで、ステップＳ１０で準備した複数のパンツサンプルのなかから顧客のウェストに最もフィットするパンツサンプルを特定する（図６のステップＳ１３：第１３ステップ）。
【００４８】
次に、ステップＳ１１で採寸した顧客のウェストに基づき、ステップＳ１３で特定した顧客のウェストに最もフィットするパンツサンプルの製造に用いた型紙を調整することで、パンツの型紙を作成する（図６のステップｓ１４：第１４ステップ）。このとき、例えば、ステップＳ３で顧客の裾丈（パンツ丈）、下胴（ヒップ）、股上、股下及びわたり幅等をさらに採寸していた場合、これらにも基づき、ステップＳ１３で特定した顧客のウェストに最もフィットするパンツサンプルの製造に用いた型紙を調整してもよい。
【００４９】
さらに、ステップＳ１４で作成したパンツの型紙を用いて中仮縫いパンツ７０を作成する（図６のステップＳ１５：第１５ステップ）。
【００５０】
図３及び図４に示すように、本実施形態のステップＳ１５で作成される中仮縫いパンツ７０は、両脇部分７２ａ、７２ｂ（パンツの外側の縫い目）、ベルトが宛がわれる帯７６、及び前記ベルトが挿通されるループ７８ａ〜７８ｅが本縫いされる。また、中仮縫いパンツ７０は、内股部分７４（パンツの内側の縫い目）、帯７６の下端から下胴（ヒップ）を経て前立て８２の下端までのセンターライン８０、及び前立て８２のチャック部分が仮縫いされる。
【００５１】
そして、ステップＳ１５で作成した中仮縫いパンツ７０を顧客に試着させる（図６のステップＳ１６：第１６ステップ）。このとき、顧客から各部位のフィット具合や着心地などをヒアリングしてもよい。
【００５２】
最後に、ステップＳ１６を行ったあとで、ステップＳ１５で作成した中仮縫いパンツ７０を本縫いしてパンツ１４（図１参照）を製造する（図６のステップＳ１７：第１７ステップ）。このとき、例えば、ステップＳ１６で顧客から各部位のフィット具合や着心地などをヒアリングしていた場合、そのヒアリングの内容などに基づき、各パーツの寸法などを調整してパンツ１４を製造してもよい。
【００５３】
（効果）
本実施形態では、顧客の肩幅に最もフィットする上着サンプルの製造に用いた型紙を調整することで上着１２の型紙を作成するので、フルオーダー及びイージーオーダーと比較してスタイル及びファッション性を重視した上着１２を製造することができる。また、上着１２の型紙を用いて作成した中仮縫い上着２０を顧客に試着させるので、パターンオーダーと比較して、縦方向の調整のみならず、胴回り等の横方向の調整が可能で、より顧客の満足度を得ることができる。さらに、中仮縫い上着２０を顧客に試着させたあと、必要に応じて上着１２の型紙を調整して本縫いを行うこともできるので、顧客の満足度をさらに向上させることが可能となる。
【００５４】
本実施形態では、ステップＳ２及びステップＳ３は、ステップＳ１のあとで行われる。これにより、例えば、店舗に複数の上着サンプルを準備してから、来店した顧客の肩幅等を採寸し、採寸した顧客の肩幅等に基づき前記複数の上着サンプルを顧客に試着させることができるので、効率良く製造作業を行うことが可能となる。
【００５５】
本実施形態では、ステップＳ４は、ステップＳ３のあとで行われる。これにより、例えば、顧客の中胴（すなわち、腹回り）にも基づき、複数の上着サンプルのなかから顧客の肩幅に最もフィットし得る上着サンプルを選択することができるので、効率良く製造作業を行うことが可能となる。
【００５６】
本実施形態では、ステップＳ１で準備する複数の上着サンプルは、それぞれ、上着の既製品であるため、顧客が具体的な完成品のイメージを持つことができ、前記具体的な完成品のイメージを顧客から確認したうえで上着１２の型紙を作成することができる。したがって、顧客の満足度を向上させることが可能となる。
【００５７】
本実施形態では、ステップＳ１で準備する複数の上着サンプルの肩幅は、それぞれ、２２ｃｍ以上２５ｃｍ以下である。これにより、成人男性の肩幅にフィットし得る上着サンプルを無駄なく準備することができるので、効率良く製造作業を行うことが可能となる。
【００５８】
本実施形態では、ステップＳ７で作成される中仮縫い上着２０は、前身頃３０に対して、下衿３２ａ、３２ｂ、ポケット３６ａ〜３６ｃ及び裏地が本縫いされるので、中仮縫い上着２０を顧客に試着させたとき、当該顧客がいっそう具体的な完成品のイメージを持つことができる。したがって、顧客の満足度を向上させることが可能となる。
【００５９】
本実施形態では、顧客のウェストに最もフィットするパンツサンプルの製造に用いた型紙を調整することでパンツ１４の型紙を作成するので、フルオーダー及びイージーオーダーと比較してスタイル及びファッション性を重視したパンツ１４を製造することができる。また、パンツ１４の型紙を用いて作成した中仮縫いパンツ７０を顧客に試着させるので、パターンオーダーと比較してより顧客の満足度を得ることができる。さらに、中仮縫いパンツ７０を顧客に試着させたあと、必要に応じてパンツ１４の型紙を調整して本縫いを行うこともできるので、顧客の満足度をさらに向上させることが可能となる。
【００６０】
本実施形態では、ステップＳ１５で作成される中仮縫いパンツ７０は、両脇部分７２ａ、７２ｂ、帯７６及びループ７８ａ〜７８ｅが本縫いされるので、中仮縫いパンツ７０を顧客に試着させたとき、当該顧客がいっそう具体的な完成品のイメージを持つことができる。したがって、顧客の満足度を向上させることが可能となる。
【００６１】
（変形例）
上記説明から、当業者にとっては、本発明の多くの改良や他の実施形態が明らかである。したがって、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【００６２】
上記実施形態では、中仮縫い上着２０は、前身頃３０に対して、下衿３２ａ、３２ｂ、ポケット３６ａ〜３６ｃ及び裏地が本縫いされる場合について説明したが、これに限定されない。例えば、前身頃３０に対して、ボタンや仮縫いされた上衿３４が本縫いされてもよいし、或いは、その他の仮縫いされた部分が本縫いされてもよい。これにより、顧客がいっそう具体的な完成品のイメージを持つことができる。
【００６３】
上記実施形態では、中仮縫い上着２０は、上衿、肩ライン５０、袖５１ａ、５１ｂ、アームホール５２ａ、５２ｂ、及び背中のセンターライン５４が仮縫いされる場合について説明したが、これに限定されない。例えば、本縫いされた下衿３２ａ、３２ｂが仮縫いされてもよいし、或いは、その他の本縫いされた部分が仮縫いされてもよい。
【００６４】
上記実施形態では、中仮縫いパンツ７０は、両脇部分７２ａ、７２ｂ、帯７６及びループ７８ａ〜７８ｄが本縫いされる場合について説明したが、これに限定されない。例えば、仮縫いされた前立て８２のチャック部分が本縫いされてもよいし、或いは、その他の仮縫いされた部分が本縫いされてもよい。これにより、顧客がいっそう具体的な完成品のイメージを持つことができる。
【００６５】
上記実施形態では、中仮縫いパンツ７０は、内股部分７４、帯７６の下端から下胴（ヒップ）を経て前立て８２の下端までのセンターライン８０、及び前立て８２のチャック部分が仮縫いされる場合について説明したが、これに限定されない。例えば、本縫いされた両脇部分７２ａ、７２ｂが仮縫いされてもよいし、或いは、その他の本縫いされた部分が仮縫いされてもよい。
【符号の説明】
【００６６】
１０  紳士用スーツ
１２  上着
１４  パンツ
２０  中仮縫い上着
３０  前身頃
３２  下衿
３４  上衿
３６  ポケット
４０  背面身頃
５０  肩ライン
５１ａ、５１ｂ  袖
５２  アームホール
７０  中仮縫いパンツ
７２  脇
７４  内股
７６  帯
７８  ループ
８０  センターライン
８２  前立て
【図１】
2020094289.tif 000003
【図２】
2020094289.tif 000004
【図３】
2020094289.tif 000005
【図４】
2020094289.tif 000006
【図５】
2020094289.tif 000007
【図６】
2020094289.tif 000008
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
肩幅が互いに異なる複数の上着サンプルを準備する第１ステップと、
顧客の肩幅を採寸する第２ステップと、
少なくとも前記顧客の中胴を採寸する第３ステップと、
少なくとも前記第１及び前記第２ステップを行ったあとで、前記第２ステップで採寸した前記顧客の肩幅に基づき、前記第１ステップで準備した複数の上着サンプルのなかから前記顧客の肩幅に最もフィットし得る上着サンプルを選択する第４ステップと、
前記第４ステップで選択した前記顧客の肩幅に最もフィットし得る上着サンプルを前記顧客に試着させることで、前記第１ステップで準備した複数の上着サンプルのなかから前記顧客の肩幅に最もフィットする上着サンプルを特定する第５ステップと、
前記第３ステップで採寸した前記少なくとも顧客の中胴に基づき、前記第５ステップで特定した前記顧客の肩幅に最もフィットする上着サンプルの製造に用いた型紙を調整することで、上着の型紙を作成する第６ステップと、
前記第６ステップで作成した上着の型紙を用いて中仮縫い上着を作成する第７ステップと、
前記第７ステップで作成した中仮縫い上着を前記顧客に試着させる第８ステップと、
前記第８ステップを行ったあとで、前記第７ステップで作成した中仮縫い上着を本縫いして上着を製造する第９ステップと、
を備えることを特徴とする、スーツの製造方法。
【請求項２】
前記第２及び前記第３ステップは、前記第１ステップのあとで行われる、請求項１に記載のスーツの製造方法。
【請求項３】
前記第４ステップは、前記第３ステップのあとで行われる、請求項１又は２に記載のスーツの製造方法。
【請求項４】
前記第１ステップで準備する複数の上着サンプルは、それぞれ、上着の既製品である、請求項１乃至３のいずれかに記載のスーツの製造方法。
【請求項５】
前記第１ステップで準備する複数の上着サンプルの肩幅のうち、左右いずれかの肩先の縫い目から背中のセンターラインまでを測った値は、それぞれ、２２ｃｍ以上２５ｃｍ以下である、請求項１乃至４のいずれかに記載のスーツの製造方法。
【請求項６】
前記第７ステップで作成される中仮縫い上着は、前身頃に対して、下衿、ポケット及び裏地が本縫いされる、請求項１乃至５のいずれかに記載のスーツの製造方法。
【請求項７】
前記第７ステップで作成される中仮縫い上着は、上衿、前身頃及び背面身頃の上端部分である肩ライン、袖、アームホール、及び背中のセンターラインが仮縫いされる、請求項１乃至６のいずれかに記載のスーツの製造方法。
【請求項８】
ウェストが互いに異なる複数のパンツサンプルを準備する第１０ステップと、
顧客のウェストを採寸する第１１ステップと、
少なくとも前記第１０及び前記第１１ステップを行ったあとで、前記第１１ステップで採寸した前記顧客のウェストに基づき、前記第１０ステップで準備した複数のパンツサンプルのなかから前記顧客のウェストに最もフィットし得るパンツサンプルを選択する第１２ステップと、
前記第１２ステップで選択した前記顧客のウェストに最もフィットし得るパンツサンプルを前記顧客に試着させることで、前記第１０ステップで準備した複数のパンツサンプルのなかから前記顧客のウェストに最もフィットするパンツサンプルを特定する第１３ステップと、
前記第１１ステップで採寸した前記顧客のウェストに基づき、前記第１３ステップで特定した前記顧客のウェストに最もフィットするパンツサンプルの製造に用いた型紙を調整することで、パンツの型紙を作成する第１４ステップと、
前記第１４ステップで作成したパンツの型紙を用いて中仮縫いパンツを作成する第１５ステップと、
前記第１５ステップで作成した中仮縫いパンツを前記顧客に試着させる第１６ステップと、
前記第１６ステップを行ったあとで、前記第１５ステップで作成した中仮縫いパンツを本縫いしてパンツを製造する第１７ステップと、
をさらに備える、請求項１乃至７のいずれかに記載のスーツの製造方法。
【請求項９】
前記第１５ステップで作成される中仮縫いパンツは、両脇部分、ベルトが宛がわれる帯、及び前記ベルトが挿通されるループが本縫いされる、請求項８に記載のスーツの製造方法。
【請求項１０】
前記第１５ステップで作成される中仮縫いパンツは、内股部分、ベルトが宛がわれる帯の下端からヒップを経て前立ての下端までのセンターライン、及び前記前立てのチャック部分が仮縫いされる、請求項８又は９に記載のスーツの製造方法。
【手続補正２】
【補正対象書類名】明細書
【補正対象項目名】０００８
【補正方法】変更
【補正の内容】
【０００８】
前記課題を解決するために、本発明に係るスーツの製造方法は、肩幅が互いに異なる複数の上着サンプルを準備する第１ステップと、顧客の肩幅を採寸する第２ステップと、少なくとも前記顧客の中胴を採寸する第３ステップと、少なくとも前記第１及び前記第２ステップを行ったあとで、前記第２ステップで採寸した前記顧客の肩幅に基づき、前記第１ステップで準備した複数の上着サンプルのなかから前記顧客の肩幅に最もフィットし得る上着サンプルを選択する第４ステップと、前記第４ステップで選択した前記顧客の肩幅に最もフィットし得る上着サンプルを前記顧客に試着させることで、前記第１ステップで準備した複数の上着サンプルのなかから前記顧客の肩幅に最もフィットする上着サンプルを特定する第５ステップと、前記第３ステップで採寸した前記少なくとも顧客の中胴に基づき、前記第５ステップで特定した前記顧客の肩幅に最もフィットする上着サンプルの製造に用いた型紙を調整することで、上着の型紙を作成する第６ステップと、前記第６ステップで作成した上着の型紙を用いて中仮縫い上着を作成する第７ステップと、前記第７ステップで作成した中仮縫い上着を前記顧客に試着させる第８ステップと、前記第８ステップを行ったあとで、前記第７ステップで作成した中仮縫い上着を本縫いして上着を製造する第９ステップと、を備えることを特徴とする。
【手続補正３】
【補正対象書類名】明細書
【補正対象項目名】００１６
【補正方法】変更
【補正の内容】
【００１６】
前記第１ステップで準備する複数の上着サンプルの肩幅のうち、左右いずれかの肩先の縫い目から背中のセンターラインまでを測った値は、それぞれ、２２ｃｍ以上２５ｃｍ以下であってもよい。
【手続補正４】
【補正対象書類名】明細書
【補正対象項目名】００３１
【補正方法】変更
【補正の内容】
【００３１】
まず、肩幅が互いに異なる複数の上着サンプルを準備する（図５のステップＳ１：第１ステップ）。当該上着サンプル（「スタイリング・イメージ」と呼ぶ）は、上着の既製品であってもよい。また、このとき準備する複数の上着サンプルの肩幅のうち、左右いずれかの肩先の縫い目から背中のセンターラインまでを測った値は、それぞれ、２２ｃｍ以上２５ｃｍ以下であってもよい。
【手続補正５】
【補正対象書類名】明細書
【補正対象項目名】００３６
【補正方法】変更
【補正の内容】
【００３６】
さらに、ステップＳ３で採寸した少なくとも顧客の中胴に基づき、ステップＳ５で特定した顧客の肩幅に最もフィットする上着サンプルの製造に用いた型紙を調整することで、上着の型紙を作成する（図５のステップＳ６：第６ステップ）。このとき、例えば、ステップＳ３で顧客の着丈、袖丈、袖幅、袖口幅及び上胴（胸回り）等をさらに採寸していた場合、これらにも基づき、ステップＳ５で特定した顧客の肩幅に最もフィットする上着サンプルの製造に用いた型紙を調整してもよい。
【手続補正６】
【補正対象書類名】明細書
【補正対象項目名】００５７
【補正方法】変更
【補正の内容】
【００５７】
本実施形態では、ステップＳ１で準備する複数の上着サンプルの肩幅のうち、左右いずれかの肩先の縫い目から背中のセンターラインまでを測った値は、それぞれ、２２ｃｍ以上２５ｃｍ以下である。これにより、成人男性の肩幅にフィットし得る上着サンプルを無駄なく準備することができるので、効率良く製造作業を行うことが可能となる。